(57)【要約】【課題】  前方中央信号に主に含まれる台詞音声を強調し、さらに、受聴者の受聴位置で台詞音声が再生されているように感じさせることで、映画等のコンテンツにおける音声明瞭度を改善するマルチチャンネル音声再生装置を提供する。【解決手段】  前方中央信号の台詞抽出信号を出力する台詞抽出手段と、台詞抽出信号に台詞強調処理を行って台詞強調信号として出力する台詞強調手段と、台詞強調信号を第１台詞強調信号および第２台詞強調信号に分岐して、それぞれを受聴者の両耳間クロストークを除去するクロストークキャンセル処理を行って第１クロストークキャンセル信号および第２クロストークキャンセル信号を生成するクロストークキャンセル手段と、を備え、第１クロストークキャンセル信号を左スピーカーから再生し、第２クロストークキャンセル信号を右スピーカーから再生する。【選択図】  図１
2008301427.tif 000002
【特許請求の範囲】
【請求項１】
前方中央信号の台詞音声帯域を通過させた台詞抽出信号を出力する台詞抽出手段と、
該台詞抽出信号の該台詞音声帯域の上限付近を最大レベルとなるようにレベルを相対的に増大させる台詞強調処理を行って、台詞強調信号として出力する台詞強調手段と、
該台詞強調信号を第１台詞強調信号および第２台詞強調信号に分岐して、それぞれを該受聴者の両耳間クロストークを除去するクロストークキャンセル処理を行って第１クロストークキャンセル信号および第２クロストークキャンセル信号を生成するクロストークキャンセル手段と、を備え、
該第１クロストークキャンセル信号を左スピーカーから再生し、該第２クロストークキャンセル信号を右スピーカーから再生する、
マルチチャンネル音声再生装置。
【請求項２】
前記台詞抽出手段が、前記前方中央信号に前記台詞音声が含まれるか否かを検出する台詞検出手段を含み、
該台詞検出手段が、前記台詞抽出信号のエンベロープ信号の１〜４Ｈｚ成分レベルの大小にしたがって該台詞抽出信号の出力レベルを制御し、該台詞音声が含まれると検出する場合には該台詞抽出信号の出力レベルを大きくし、該台詞音声が含まれないと検出する場合には該台詞抽出信号の出力レベルを小さくする、
請求項１に記載のマルチチャンネル音声再生装置。
【請求項３】
前記前方中央信号から前記台詞抽出信号を減算した台詞除去前方中央信号を生成する台詞除去手段と、
該台詞除去前方中央信号を前記第１および第２クロストークキャンセル信号にそれぞれ加算する加算手段と、を備え、
該台詞除去前方中央信号ならびに該第１クロストークキャンセル信号を該左スピーカーから再生し、該台詞除去前方中央信号ならびに該第２クロストークキャンセル信号を該右スピーカーから再生する、
請求項１または２に記載のマルチチャンネル音声再生装置。
【請求項４】
前記前方中央信号から前記台詞抽出信号を減算した台詞除去前方中央信号を生成する台詞除去手段を備え、
該台詞除去前方中央信号を中央スピーカーから再生し、前記第１クロストークキャンセル信号を前記左スピーカーから再生し、前記第２クロストークキャンセル信号を前記右スピーカーから再生する、
請求項１または２に記載のマルチチャンネル音声再生装置。
【請求項５】
前記クロストークキャンセル手段が、前記クロストークキャンセル処理する前記第１台詞強調信号および前記第２台詞強調信号について、いずれか一方のみを入力する場合と、その両方を同相同レベルで入力する場合と、その両方を逆相同レベルで入力する場合と、のいずれかの場合を選択して入力する選択入力手段を含み、
該選択入力手段のいずれかの場合の選択により、前記受聴者への台詞音声の強調を、該受聴者の両耳のいずれか一方の近傍に該台詞音声を感じる場合と、該受聴者の頭内部に該台詞音声を感じる場合と、該受聴者の後頭部に該台詞音声を感じる場合と、のいずれかに切り換える、
請求項１から４のいずれかに記載のマルチチャンネル音声再生装置。
【請求項６】
マルチチャンネル音声のうち前方左信号ならびに前方右信号をさらに受ける請求項１から５のいずれかに記載のマルチチャンネル音声再生装置であって、
該前方左信号を前記第１クロストークキャンセル信号に加算し、かつ、該前方右信号を前記第２クロストークキャンセル信号に加算する加算手段と、を備える、マルチチャンネル音声再生装置。
【請求項７】
マルチチャンネル音声のうちサラウンド左信号ならびにサラウンド右信号をさらに受ける請求項１から６のいずれかに記載のマルチチャンネル音声再生装置であって、
該サラウンド左信号ならびにサラウンド右信号に、仮想到来角度の伝達関数に基づく両耳間クロストークを付与するクロストーク付与処理を行って第１クロストーク付与信号および第２クロストーク付与信号を生成するクロストーク付与手段と、
該第１クロストーク付与信号を前記第１台詞強調信号に加算し、かつ、該第２クロストーク付与信号を前記第２台詞強調信号に加算する加算手段と、を備える、マルチチャンネル音声再生装置。
【発明の詳細な説明】
【技術分野】
【０００１】
本発明は、サラウンド音声を含むマルチチャンネル音声を再生するマルチチャンネル音声再生装置に関し、特に、前方中央信号に主に含まれる台詞（セリフ）音声を強調して、映画等のコンテンツにおける音声明瞭度を改善するマルチチャンネル音声再生装置に関する。
【背景技術】
【０００２】
２つを超える複数の独立した音声信号チャンネルをもつ、いわゆるマルチチャンネル音声信号を、映像信号と共に、もしくは、音声信号単独で再生してサラウンド音場を再生するマルチチャンネル音声再生装置が提供されている。各チャンネルに対応するスピーカーの配置方向、再生周波数帯域、サラウンド方式、等を含め、様々な方式・フォーマットが提案されている。多くの場合には、マルチチャンネル音声信号は、前方左信号Ｌおよび前方右信号Ｒと伴に、前方中央信号Ｃ、サラウンド左信号ＳＬ、サラウンド右信号ＳＲ、の合計５チャンネルの信号を含む場合もある。これらに加えて、低音信号ＬＦＥを含む、いわゆる５．１チャンネルから構成される場合もある。
【０００３】
マルチチャンネル音声は、マルチチャンネル音声再生装置に接続されて各チャンネルに対応して配置される複数のスピーカーを含むスピーカー群から再生することを予定されている。前方音声信号（前方左信号Ｌ、前方右信号Ｒ、前方中央信号Ｃを含む。以下同じ。）は、視聴者の前方に配置される前方スピーカー（前方左スピーカーＬｓｐ、前方右スピーカーＲｓｐ、前方中央スピーカーＣｓｐを含む。以下同じ。）から再生される。また、サラウンド音声信号（サラウンド左信号ＳＬ、サラウンド右信号ＳＲを含む。以下同じ。）は、視聴者の側方又は後方に配置されるそれぞれのサラウンドスピーカー（サラウンド左スピーカーＳＬｓｐ、サラウンド右スピーカーＳＲｓｐ含む。以下同じ。）から再生されることが望ましい。
【０００４】
しかし、マルチチャンネル音声を再生するスピーカー群が、視聴者の前方に配置される前方スピーカーのみから構成され、サラウンド音声信号のみを再生するサラウンドスピーカーを含まない場合、つまり、スピーカーが最小限の場合には、一般的なステレオ再生用の前方左スピーカーＬｓｐおよび前方右スピーカーＲｓｐしか備えないときには、マルチチャンネル音声再生装置では、前方中央信号およびサラウンド音声信号を前方左信号ならびに前方右信号に混合処理したステレオ音声信号を生成し、これを前方スピーカーから再生する。このステレオ音声信号を生成する処理においては、前方音声信号にサラウンド音声信号を加算するダウンミックス処理（簡易な位相シフト処理等を含む。）を行う場合の他に、サラウンド音声信号に対して頭部伝達関数ＨＲＴＦ（Head Related Transfer Function）に基づく仮想定位処理を行った音声信号を前方音声信号に加算する、いわゆる、バーチャルサラウンド処理を行う場合がある。なお、サラウンド音声信号を前方音声信号に仮想定位処理したステレオ音声信号を生成しなければ、前方左スピーカーＬｓｐおよび前方右スピーカーＲｓｐでは、受聴者の側方又は後方からサラウンド音声信号の音波が到来するような音場を再生できないという問題を生じる。
【０００５】
ただし、従来には、マルチチャンネル音声信号のダイナミックレンジが広い映画等のコンテンツにおいては、登場人物の台詞音声が聞き取りにくい場合がある、という問題がある。映画等のコンテンツにおいては、台詞音声は、マルチチャンネル音声信号の前方中央信号に配分されているのが一般的である。そこで、従来には、台詞音声の明瞭度を改善するために、人間の音声帯域に相当する周波数領域のレベルを増大して強調処理するものがある。
【０００６】
例えば、画像に伴う音声信号の中から人間の声に相当する所定の周波数成分を抽出する周波数成分抽出回路を具備し、ステレオ信号の左及び右信号をそれぞれの前記抽出回路に通した信号を加算回路及び第１の減算回路に入力し、前記加算回路の出力をゲインコントロール回路を通してセンター用スピーカーから出力し、第１の減算回路の出力により前記ゲインコントロール回路を制御するテレビジョン受像器用音声回路がある（特許文献１）。
【０００７】
また、従来には、少なくとも右チャンネル及び左チャンネルを含む多チャンネルの音声信号のうち、特定周波数帯域の音声信号を含むチャンネルの音声信号の周波数特性を、頭部伝達関数に基づいて決定された補正特性に従って補正する周波数特性補正手段と、補正された音声信号を、前記右チャンネルの音声信号及び前記左チャンネルの音声信号に混合し、それぞれ右チャンネル出力音声信号及び左チャンネル出力音声信号として出力する出力手段と、を備える多チャンネル音声信号の処理回路がある（特許文献２）。
【０００８】
【特許文献１】特開平４−２４９４８４号公報  （第１図）
【特許文献２】特開２００４−２６６６０４号公報  （第１図）
【０００９】
しかしながら、マルチチャンネル音声再生装置では、前方音声信号にサラウンド音声信号を加算するダウンミックス処理やバーチャルサラウンド処理を行う場合には、信号が加算されるためにダイナミックレンジが低下しやすく、特許文献１の場合のように音声レベルを変更する従来の方法で音声明瞭度を改善するには限界がある。頭部伝達関数に基づいて決定された補正特性に従って補正する特許文献２の場合であっても、この補正特性は、視聴者に対して左右方向から到来する音を正面方向から到来するように補正するための特性であり、視聴者が感じる音声の到来方向を修正するものにすぎない。
【発明の開示】
【発明が解決しようとする課題】
【００１０】
本発明は、上記の従来技術が有する問題を解決するためになされたものであり、その目的は、サラウンド音声を含むマルチチャンネル音声を再生するマルチチャンネル音声再生装置に関し、特に、前方中央信号に主に含まれる台詞音声を強調し、さらに、受聴者の受聴位置で台詞音声が再生されているように感じさせることで、映画等のコンテンツにおける音声明瞭度を改善するマルチチャンネル音声再生装置を提供することにある。
【課題を解決するための手段】
【００１１】
本発明のマルチチャンネル音声再生装置は、マルチチャンネル音声の前方中央信号に含まれる台詞音声信号を受聴者の前方に設置した左スピーカーおよび右スピーカーから再生し、受聴者の受聴位置での台詞音声を強調するマルチチャンネル音声再生装置であって、前方中央信号の台詞音声帯域を通過させた台詞抽出信号を出力する台詞抽出手段と、台詞抽出信号の台詞音声帯域の上限付近を最大レベルとなるようにレベルを相対的に増大させる台詞強調処理を行って、台詞強調信号として出力する台詞強調手段と、台詞強調信号を第１台詞強調信号および第２台詞強調信号に分岐して、それぞれを受聴者の両耳間クロストークを除去するクロストークキャンセル処理を行って第１クロストークキャンセル信号および第２クロストークキャンセル信号を生成するクロストークキャンセル手段と、を備え、第１クロストークキャンセル信号を左スピーカーから再生し、第２クロストークキャンセル信号を右スピーカーから再生する。
【００１２】
さらに好ましくは、マルチチャンネル音声再生装置は、台詞抽出手段が、前方中央信号に台詞音声が含まれるか否かを検出する台詞検出手段を含み、台詞検出手段が、台詞抽出信号のエンベロープ信号の１〜４Ｈｚ成分レベルの大小にしたがって台詞抽出信号の出力レベルを制御し、台詞音声が含まれると検出する場合には台詞抽出信号の出力レベルを大きくし、台詞音声が含まれないと検出する場合には台詞抽出信号の出力レベルを小さくする。
【００１３】
また、好ましくは、マルチチャンネル音声再生装置は、前方中央信号から台詞抽出信号を減算した台詞除去前方中央信号を生成する台詞除去手段と、台詞除去前方中央信号を第１および第２クロストークキャンセル信号にそれぞれ加算する加算手段と、を備え、台詞除去前方中央信号ならびに第１クロストークキャンセル信号を左スピーカーから再生し、台詞除去前方中央信号ならびに第２クロストークキャンセル信号を右スピーカーから再生する。
【００１４】
また、好ましくは、マルチチャンネル音声再生装置は、前方中央信号から台詞抽出信号を減算した台詞除去前方中央信号を生成する台詞除去手段を備え、台詞除去前方中央信号を中央スピーカーから再生し、第１クロストークキャンセル信号を左スピーカーから再生し、第２クロストークキャンセル信号を右スピーカーから再生する。
【００１５】
好ましくは、マルチチャンネル音声再生装置は、クロストークキャンセル手段が、クロストークキャンセル処理する第１台詞強調信号および第２台詞強調信号について、いずれか一方のみを入力する場合と、その両方を同相同レベルで入力する場合と、その両方を逆相同レベルで入力する場合と、のいずれかの場合を選択して入力する選択入力手段を含み、選択入力手段のいずれかの場合の選択により、受聴者への台詞音声の強調を、受聴者の両耳のいずれか一方の近傍に台詞音声を感じる場合と、受聴者の頭内部に台詞音声を感じる場合と、受聴者の後頭部に台詞音声を感じる場合と、のいずれかに切り換える。
【００１６】
好ましくは、マルチチャンネル音声再生装置は、マルチチャンネル音声のうち前方左信号ならびに前方右信号をさらに受ける上記のマルチチャンネル音声再生装置であって、前方左信号を第１クロストークキャンセル信号に加算し、かつ、前方右信号を第２クロストークキャンセル信号に加算する加算手段と、を備える。
【００１７】
好ましくは、マルチチャンネル音声再生装置は、マルチチャンネル音声のうちサラウンド左信号ならびにサラウンド右信号をさらに受ける上記のマルチチャンネル音声再生装置であって、サラウンド左信号ならびにサラウンド右信号に、仮想到来角度の伝達関数に基づく両耳間クロストークを付与するクロストーク付与処理を行って第１クロストーク付与信号および第２クロストーク付与信号を生成するクロストーク付与手段と、第１クロストーク付与信号を第１台詞強調信号に加算し、かつ、第２クロストーク付与信号を第２台詞強調信号に加算する加算手段と、を備える。
【００１８】
以下、本発明の作用について説明する。
【００１９】
本発明のマルチチャンネル音声再生装置は、マルチチャンネル音声の前方中央信号に含まれる台詞音声信号を受聴者の前方に設置した左スピーカーおよび右スピーカーから再生し、受聴者の受聴位置での台詞音声を強調するマルチチャンネル音声再生装置であって、マルチチャンネル音声のうち、前方左信号ならびに前方右信号をさらに受ける場合、ならびに、サラウンド左信号ならびにサラウンド右信号をさらに受ける場合にも対応する。なお、左スピーカーおよび右スピーカーに加えて、中央スピーカー、および、視聴者の側方又は後方に配置されるそれぞれのサラウンドスピーカーをさらに備える場合には、マルチチャンネル音声再生装置は、左スピーカーおよび右スピーカーからのみならず、これらのスピーカーからサラウンド音場を再生することができる。
【００２０】
マルチチャンネル音声再生装置は、前方中央信号の台詞音声帯域を通過させた台詞抽出信号を出力する台詞抽出手段と、台詞抽出信号の台詞音声帯域の上限付近を最大レベルとなるようにレベルを相対的に増大させる台詞強調処理を行って、台詞強調信号として出力する台詞強調手段と、台詞強調信号を第１台詞強調信号および第２台詞強調信号に分岐して、それぞれを受聴者の両耳間クロストークを除去するクロストークキャンセル処理を行って第１クロストークキャンセル信号および第２クロストークキャンセル信号を生成するクロストークキャンセル手段と、を備える。したがって、マルチチャンネル音声信号の前方中央信号に配分されている台詞音声の明瞭度を改善して再生することができる。なお、台詞抽出信号を出力する台詞抽出手段は、２００Ｈｚ以上５ｋＨｚ以下の台詞音声帯域を通過させるようにするのが好ましい。
【００２１】
台詞抽出手段は、前方中央信号に台詞音声が含まれるか否かを、台詞抽出信号のエンベロープ信号の１〜４Ｈｚ成分レベルの大小にしたがって検出する台詞検出手段を含んでいてもよい。また、マルチチャンネル音声再生装置は、前方中央信号から台詞抽出信号を減算した台詞除去前方中央信号を生成する台詞除去手段を更に備えていても良い。その結果、本発明のマルチチャンネル音声再生装置は、台詞抽出手段および台詞強調手段により、前方中央信号に主に含まれる台詞音声を強調することができ、前方中央信号に含まれる台詞音声以外の音声も、台詞除去前方中央信号により欠落することなくサラウンド音場に再生することができる。
【００２２】
ここで、クロストークキャンセル処理とは、受聴者の前方に設置した左スピーカーおよび右スピーカーと、受聴者の両耳（左耳および右耳）と、の空間配置から生じる頭部伝達関数ＨＲＴＦ（Head Related Transfer Function）に基づく信号処理であり、左スピーカーから右耳へ、もしくは、右スピーカーから左耳へ、の空間伝搬のクロストークを打ち消して、例えば、左チャンネルからの再生音は左耳のみへ、右チャンネルからの再生音は右耳のみへ、伝送しようとする信号処理である。クロストークキャンセル処理により、受聴者の両耳では、反対側の耳（スピーカーから遠い側の耳）への音声再生がほぼ無くなるので、あたかもヘッドホンを装着した場合、もしくは、耳介の近傍にスピーカーが配置されている場合、に近い音場が再生されることになる。したがって、受聴者は、クロストークキャンセル処理によって、耳の直ぐ近くに再生音源が存在するような感覚を得ることができる。
【００２３】
本発明のマルチチャンネル音声再生装置では、強調された台詞音声に基づく第１クロストークキャンセル信号を左スピーカーから再生し、第２クロストークキャンセル信号を右スピーカーから再生するので、クロストークキャンセル処理によって、受聴者は耳の直ぐ近くで台詞音声が再生されているように知覚する。したがって、台詞音声は、台詞強調処理によって強調されることに加えて、台詞音声以外のサラウンド音場とは定位感が異なるので、その結果、受聴者にとって、台詞音声に関する明瞭度を改善することができる。
【００２４】
第１クロストークキャンセル信号および第２クロストークキャンセル信号は、台詞強調信号を分岐する第１台詞強調信号および第２台詞強調信号を、クロストークキャンセル処理して生成されるので、第１台詞強調信号および第２台詞強調信号について、いずれか一方のみを入力する場合と、その両方を同相同レベルで入力する場合と、その両方を逆相同レベルで入力する場合と、のいずれかの場合を選択して入力することで、受聴者への台詞音声の強調再生を選択して提供することができる。具体的には、受聴者への台詞音声の強調は、受聴者の両耳のいずれか一方の近傍に台詞音声を感じる場合と、受聴者の頭内部に台詞音声を感じる場合と、受聴者の後頭部に台詞音声を感じる場合と、のいずれかに切り換えることができる。したがって、台詞抽出手段によって台詞音声が存在する場合にのみ強調処理がなされることに加えて、受聴者は、聞きやすい台詞音声の定位感を選択することができ、さらに台詞音声に関する明瞭度が高まるように感じることができる。
【００２５】
また、本発明のマルチチャンネル音声再生装置は、クロストークキャンセル手段を備えるので、サラウンド左信号ならびにサラウンド右信号に仮想到来角度の伝達関数に基づく両耳間クロストークを付与するクロストーク付与手段を更に備えることで、サラウンド左信号ならびにサラウンド右信号にバーチャルサラウンド処理を行うことができる。したがって、サラウンドスピーカーを備えていなくても、側方若しくは後方に仮想定位させた仮想音源により、受聴者にサラウンド音場を提供できる。
【発明の効果】
【００２６】
本発明のマルチチャンネル音声再生装置は、前方中央信号に主に含まれる台詞音声を強調し、クロストークキャンセル処理によって、受聴者の耳の直ぐ近くに再生音源が存在するような感覚を得させることができる。受聴者の受聴位置で台詞音声が再生されているように感じさせることで、映画等のコンテンツにおける音声明瞭度を改善することができる。
【発明を実施するための最良の形態】
【００２７】
本発明のマルチチャンネル音声再生装置は、映画等のコンテンツにおける音声明瞭度を改善するという目的を、マルチチャンネル音声再生装置が、前方中央信号の台詞音声帯域を通過させた台詞抽出信号を出力する台詞抽出手段と、台詞抽出信号の台詞音声帯域の上限付近を最大レベルとなるようにレベルを相対的に増大させる台詞強調処理を行って、台詞強調信号として出力する台詞強調手段と、台詞強調信号を第１台詞強調信号および第２台詞強調信号に分岐して、それぞれを受聴者の両耳間クロストークを除去するクロストークキャンセル処理を行って第１クロストークキャンセル信号および第２クロストークキャンセル信号を生成するクロストークキャンセル手段と、を備え、第１クロストークキャンセル信号を左スピーカーから再生し、第２クロストークキャンセル信号を右スピーカーから再生するように構成することにより、実現した。
【００２８】
以下、本発明の好ましい実施形態によるマルチチャンネル音声再生装置について説明するが、本発明はこれらの実施形態には限定されない。
【実施例１】
【００２９】
図１は、本発明の好ましい実施形態によるマルチチャンネル音声再生装置１について説明する図である。図１（ａ）は、マルチチャンネル音声再生装置１において信号処理を行うＤＳＰ（Digital Signal Processor）１０を説明するブロックダイアグラムであり、図１（ｂ）は、台詞強調処理の周波数特性を説明するグラフである。ＤＳＰ１０は、その処理プログラムおよび係数を変更することによって、信号処理を変更することができる。なお、図１（ａ）では、マルチチャンネル音声再生装置１のＤＳＰ１０以外の構成（例えば、電源回路、制御回路、等。）は省略されている。また、本実施例のマルチチャンネル音声再生装置１には、後述する左スピーカーＬｓｐと、右スピーカーＲｓｐと、が接続される。
【００３０】
具体的には、マルチチャンネル音声再生装置１は、（図示しない）ディスクプレーヤー等の他の再生装置から入力されるマルチチャンネル音声データを、５チャンネルサラウンド音声信号にデコードする（図示しない）デコード回路と、ＤＳＰ１０からの出力信号をＤ／Ａ変換してアナログ信号にする（図示しない）ＤＡ変換器と、ＤＡ変換器の出力を増幅して（図示しない）複数のスピーカーへ出力する（図示しない）増幅器を含む。なお、デコード回路は、ＤＳＰ１０に含まれていても良い。また、５チャンネルの音声信号とは、前方左信号Ｌ、前方右信号Ｒ、前方中央信号Ｃ、サラウンド左信号ＳＬ、サラウンド右信号ＳＲの全帯域の成分を含む合計５チャンネルであり、帯域制限された低音信号ＬＦＥ、もしくは、他のサラウンドチャンネル信号をさらに含んでいてもよい。
【００３１】
マルチチャンネル音声再生装置１のＤＳＰ１０は、前方中央信号Ｃに配分されている台詞音声に対して、強調処理と、クロストークキャンセル処理と、を行う。前方中央信号Ｃは、台詞抽出回路１１に入力されて台詞抽出信号Ｃｄ０として出力される。台詞抽出回路１１は、通過帯域が人間の音声帯域に相当する２００Ｈｚ〜５ｋＨｚに設定された帯域通過フィルタ（ＢＰＦ）１１ａを含む。台詞抽出信号Ｃｄ０は、台詞強調回路１２に入力されて台詞強調信号Ｃｅ０として出力される。台詞強調回路１２は、人間の音声帯域に相当する２００Ｈｚ〜５ｋＨｚを他の帯域よりも相対的に高いレベルに増大し、かつ、人間の音声の高次フォルマントに相当する帯域である約４ｋＨｚの帯域を、更に相対的に高いレベルに増大する回路であり、（図示しない）帯域通過フィルタにより構成される。したがって、台詞強調信号Ｃｅ０は、図１（ｂ）の周波数特性に示すように、台詞音声の明瞭度が改善された信号となる。
【００３２】
台詞強調信号Ｃｅ０は、選択入力回路１３へと入力される。選択入力回路１３は、台詞強調信号Ｃｅ０に対して係数ｋｅ１ならびにｋｅ２をそれぞれ乗算する乗算器１３ａおよび１３ｂを含み、それぞれの乗算器１３ａおよび１３ｂの出力は、２つに分岐された第１台詞強調信号Ｃｅ１および第２台詞強調信号Ｃｅ２となる。後述するように、係数ｋｅ１ならびにｋｅ２は、第１台詞強調信号Ｃｅ１および第２台詞強調信号Ｃｅ２のいずれか一方のみを入力する場合と、その両方を同相同レベルで入力する場合と、その両方を逆相同レベルで入力する場合と、のいずれかの場合を選択して入力する場合と、を切り換えるときは、１、０、−１の値のいずれかから選択される。第１台詞強調信号Ｃｅ１および第２台詞強調信号Ｃｅ２は、後述する加算器１８を経て、クロストークキャンセル回路１４へ入力される。
【００３３】
クロストークキャンセル回路１４は、第１台詞強調信号Ｃｅ１および第２台詞強調信号Ｃｅ２を入力にして、第１クロストークキャンセル信号Ｃｃ１および第２クロストークキャンセル信号Ｃｃ２を出力する。そして、後述する加算器１５と（図示しない）増幅器とを経て、第１クロストークキャンセル信号Ｃｃ１は、左スピーカーＬｓｐから再生され、第２クロストークキャンセル信号Ｃｃ２は、右スピーカーＲｓｐから再生される。なお、第１クロストークキャンセル信号Ｃｃ１は、ＤＳＰ１０からの出力信号Ｌｖに含まれて、第２クロストークキャンセル信号Ｃｃ２は、ＤＳＰ１０からの出力信号Ｒｖに含まれて、それぞれ左スピーカーＬｓｐと右スピーカーＲｓｐに入力される。
【００３４】
図２は、マルチチャンネル音声再生装置１が再生するサラウンド音場における前方スピーカーの配置、ならびに、受聴者２の頭部伝達関数ＨＲＴＦを説明する図である。マルチチャンネル音声再生装置１のクロストークキャンセル回路１４は、頭部伝達関数ｈ１１、ｈ１２、ｈ２１、ならびに、ｈ２２に基づいて算出される伝達関数Ｈ１１、Ｈ１２、Ｈ２１、ならびに、Ｈ２２を有するフィルタから構成されるラティス型フィルタを有する。伝達関数Ｈ１１、Ｈ１２、Ｈ２１、ならびに、Ｈ２２を有するフィルタからなるラティスフィルタは、空間伝搬のクロストークを打ち消して、左スピーカーＬｓｐから受聴者２の右耳２Ｒへの頭部伝達関数ｈ１２、もしくは、右スピーカーＲｓｐから受聴者２の左耳２Ｌへの頭部伝達関数ｈ２１を実質的に０（ゼロ）に近づけようとするフィルタである。なお、クロストークキャンセル回路１４のラティス型フィルタは、受聴者２に対する前方スピーカーの配置が左右対称であれば、加算器並びに減算器と２つのフィルタからなるシャフラー型フィルタで代用しても良い。
【００３５】
したがって、第１クロストークキャンセル信号Ｃｃ１および第２クロストークキャンセル信号Ｃｃ２を、それぞれ左スピーカーＬｓｐおよび右スピーカーＲｓｐから再生すると、第１台詞強調信号Ｃｅ１に含まれる台詞音声が受聴者２の左耳２Ｌへ、第２台詞強調信号Ｃｅ２に含まれる台詞音声が受聴者２の右耳２Ｒへ再生される。マルチチャンネル音声再生装置１は、クロストークキャンセル回路１４を備えているので、その結果、受聴者２は、両耳の耳介の近傍に仮想スピーカー（図２における点線で記載されるＣＥＬならびにＣＥＲ）が配置されており、これらから強調された台詞音声が再生されるような感覚を得ることができる。
【００３６】
図３は、マルチチャンネル音声再生装置１によって受聴者２が得る台詞音声の定位感について説明する図である。受聴者２は、仮想スピーカーＣＥＬが受聴者２の左耳２Ｌの近傍に、また、仮想スピーカーＣＥＲが受聴者２の右耳２Ｒの近傍に配置されているような感覚を得るので、選択入力回路１３の乗算器１３ａおよび１３ｂの係数ｋｅ１ならびにｋｅ２をそれぞれ変更することにより、図３（ａ）〜（ｄ）のそれぞれに点の集合領域ｘで示すようなイメージの定位感が実現される。図３（ａ）は、選択入力回路１３の係数が（ｋｅ１＝１、ｋｅ２＝０）であって、強調された台詞音声が左耳２Ｌの近傍に定位する場合であり、図３（ｂ）は、選択入力回路１３の係数が（ｋｅ１＝０、ｋｅ２＝１）であって、強調された台詞音声が右耳２Ｒの近傍に定位する場合であり、図３（ｃ）は、選択入力回路１３の係数が（ｋｅ１＝ｋｅｘ、ｋｅ２＝ｋｅｘ、ただし、０．５≦ｋｅｘ≦１）であって、強調された台詞音声が受聴者２の頭の中に定位する場合であり、図３（ｄ）は、選択入力回路１３の係数が（ｋｅ１＝ｋｅｘ、ｋｅ２＝−ｋｅｘ、ただし０．５≦ｋｅｘ≦１）であって、強調された台詞音声が受聴者２の後頭部付近に定位する場合である。受聴者２は、マルチチャンネル音声再生装置１を操作することで選択入力回路１３の係数ｋｅ１およびｋｅ２を変更し、強調された台詞音声が聞き取りやすい定位感を選択することができる。
【００３７】
一方で、マルチチャンネル音声再生装置１のＤＳＰ１０は、前方中央信号Ｃから台詞抽出信号Ｃｄ０を減算した台詞除去前方中央信号Ｃｆ０を生成する台詞除去回路１６を備える。台詞除去回路１６は、台詞抽出信号Ｃｄ０に係数（−１）を乗算してその位相を反転する乗算器１６ａと、前方中央信号Ｃから台詞抽出信号Ｃｄ０を減算して台詞除去前方中央信号Ｃｆ０を生成する加算器１６ｂと、加算器１６ｂの出力に係数ｋｃ１（＝０．７０７）を乗算する乗算器１６ｃとを含む。台詞除去前方中央信号Ｃｆ０は、加算器１５へと入力される。加算器１５は、前方左信号Ｌ、第１クロストークキャンセル信号Ｃｃ１、台詞除去前方中央信号Ｃｆ０、を加算して出力信号Ｌｖとする加算器１５ａと、前方右信号Ｒ、第２クロストークキャンセル信号Ｃｃ２、台詞除去前方中央信号Ｃｆ０、を加算して出力信号Ｒｖとする加算器１５ｂと、を含んでいる。
【００３８】
台詞除去前方中央信号Ｃｆ０は、前方左スピーカーＬｓｐおよび前方右スピーカーＲｓｐから同位相同レベルで再生される。したがって、受聴者２は、前述のように前方中央信号Ｃに含まれる台詞音声が両耳の耳介の近傍の仮想スピーカーＣＥＬおよびＣＥＲから再生されるように感じる一方で、台詞音声以外の前方中央信号Ｃの音声（人間の音声以外の音楽成分、他）が、受聴者２の正面前方の仮想中央スピーカーＶＣから再生されるような定位感を得ることができる。また、前方左信号Ｌは、加算器１５を経て前方左スピーカーＬｓｐから再生され、前方右信号Ｒは、加算器１５を経て前方右スピーカーＲｓｐから再生される。その結果、受聴者２には、前方スピーカーから再生される音声のなかで、台詞以外の音声が前方に定位し、強調された台詞音声だけが受聴者の両耳の耳介の近傍から再生されるように感じるので、定位感が異なる台詞音声に関する明瞭度が改善される。
【００３９】
さらに、サラウンド左信号ＳＬ、および、サラウンド右信号ＳＲは、ＤＳＰ１０のクロストーク付与回路１７へ入力される。クロストーク付与回路１７は、受聴者２の両耳２Ｌおよび２Ｒと、仮想定位させる仮想左サラウンドスピーカーＶＳＬおよびＶＳＲと、の間に想定される頭部伝達関数ｄ１１、ｄ１２、ｄ２１、ならびに、ｄ２２に基づいて算出される伝達関数Ｄ１１、Ｄ１２、Ｄ２１、ならびに、Ｄ２２を有するフィルタから構成されるラティス型フィルタを有する。頭部伝達関数ｄ１２、ならびに、ｄ２１は、仮想サラウンドスピーカーから遠い方の耳へのクロストークを意味する。クロストーク付与回路１７のラティス型フィルタの出力ｖｓ１ならびにｖｓ２は、加算器１８を経て第１台詞強調信号Ｃｅ１および第２台詞強調信号Ｃｅ２にそれぞれ加算され、クロストークキャンセル回路１４に入力される。なお、クロストーク付与回路１７のラティス型フィルタも、受聴者２に対する仮想サラウンドスピーカーの配置が左右対称であれば、加算器並びに減算器と２つのフィルタからなるシャフラー型フィルタで代用しても良い。
【００４０】
したがって、サラウンド左信号ＳＬ、および、サラウンド右信号ＳＲは、クロストーク付与回路１７ならびにクロストークキャンセル回路１４を経て、前方左スピーカーＬｓｐと前方右スピーカーＲｓｐとから再生されるので、受聴者２は、仮想左サラウンドスピーカーＶＳＬおよびＶＳＲからサラウンド音声が再生されるように感じることができる。その結果、受聴者２には、マルチチャンネル音声再生装置１を含む再生システムがサラウンドスピーカーを備えていなくても、側方（若しくは後方）に仮想定位させた仮想音源により、受聴者にサラウンド音場を提供できる。また、マルチチャンネル音声再生装置１は、受聴者２には、前方スピーカーから再生されるサラウンド音場のなかで、強調された台詞音声だけが受聴者２の両耳の耳介の近傍から再生されるように感じさせる一方で、台詞以外の音声を受聴者２の周囲に定位させるので、受聴者２は、定位感が異なっている台詞音声に関する明瞭度を改善することができる。
【実施例２】
【００４１】
図４は、本発明の他の好ましい実施形態によるマルチチャンネル音声再生装置３について説明する図であり、マルチチャンネル音声再生装置３は、信号処理を行うＤＳＰ１０の構成が先の実施例のマルチチャンネル音声再生装置１と異なる他は、共通する。図４では、マルチチャンネル音声再生装置３のＤＳＰ１０以外の構成（例えば、電源回路、制御回路、等。）は省略されており、実施例１と共通する部分には共通の番号を付し、説明は省略する。
【００４２】
図５は、マルチチャンネル音声再生装置３が再生するサラウンド音場における前方スピーカーおよびサラウンドスピーカーの配置、ならびに、受聴者２の頭部伝達関数ＨＲＴＦを説明する図である。また、本実施例のマルチチャンネル音声再生装置３には、左スピーカーＬｓｐと、右スピーカーＲｓｐと、に加えて、前方中央スピーカーＣｓｐと、サラウンド左スピーカーＳＬｓｐと、サラウンド右スピーカーＳＲｓｐと、が接続される。
【００４３】
マルチチャンネル音声再生装置３のＤＳＰ１０は、先の実施例と同様に、前方中央信号Ｃに配分されている台詞音声に対して、強調処理と、クロストークキャンセル処理と、を行う。前方中央信号Ｃは、台詞抽出回路１１に入力されて台詞抽出信号Ｃｄ０として出力される。台詞音声に対する強調処理と、クロストークキャンセル処理とは、先の実施例と同様であるので、説明を省略する。ただし、本実施例の台詞抽出回路１１は、通過帯域が人間の音声帯域に相当する２００Ｈｚ〜５ｋＨｚに設定された帯域通過フィルタ（ＢＰＦ）１１ａに加えて、前方中央信号Ｃに台詞音声が含まれるか否かを、帯域通過フィルタ（ＢＰＦ）１１ａの出力のエンベロープ信号の１〜４Ｈｚ成分レベルの大小にしたがって検出する台詞検出回路１１ｂと、このエンベロープ信号により帯域通過フィルタ（ＢＰＦ）１１ａの出力のレベルを制御する乗算器１１ｃと、を含んでいる。
【００４４】
図６は、本実施例の台詞検出回路１１ｂを説明する図であり、図６（ａ）は、台詞検出回路１１ｂの構成を示すブロックダイアグラムであり、図６（ｂ）は、台詞検出回路１１ｂが出力する乗算器１１ｃの係数ｋｚを生成するアルゴリズムを説明するフローチャートである。台詞抽出回路１１は、前方中央信号Ｃに台詞音声が含まれているかどうかによって適応的に動作し、台詞検出回路１１ｂが、台詞音声が含まれると検出する場合には、乗算器１１ｃの係数ｋｚを大きくして台詞抽出信号Ｃｄ０の出力レベルを大きくし、台詞音声が含まれないと検出する場合には、乗算器１１ｃの係数ｋｚを小さくして台詞抽出信号Ｃｄ０の出力レベルを小さくすることができる。
【００４５】
台詞抽出回路１１の帯域通過フィルタ（ＢＰＦ）１１ａの出力信号Ｘｎは、通過帯域が人間の音声帯域に相当する２００Ｈｚ〜５ｋＨｚの帯域成分を主に含むので、台詞音声信号の特徴点を検出することでその信号が台詞であるかどうかを判断する。人間の音声である台詞音声は、音楽信号と比べて一般に断続的な要素が大きく、特に早口である場合を除いてそのエンベロープは数Ｈｚ程度であるのが一般的であるので、台詞音声信号のエンベロープの数Ｈｚ成分を取り出し、そのレベルによってその信号が台詞であるかそうでないかを判断して処理を変えることで、台詞音声の抽出がより適切に行われる。
【００４６】
具体的には、台詞検出回路１１ｂは、図６（ａ）に示すように、最初に帯域通過フィルタ（ＢＰＦ）１１ａの出力信号Ｘｎの絶対値を求め、台詞音声信号のエンベロープを抽出する（Ｓ１０１）。次に、カットオフ周波数が４Ｈｚの低域通過フィルタ（ＬＰＦ：Ｓ１０２）と、カットオフ周波数が１Ｈｚの高域通過フィルタ（ＨＰＦ：Ｓ１０３）によって、エンベロープ信号の１〜４Ｈｚ成分レベルＱｎを取り出す。そのＱｎの絶対値を平滑することで数Ｈｚのエンベロープ信号のレベルＹｎを求め（Ｓ１０４）、そのレベルＹｎによって乗算器１１ｃの係数ｋｚを制御する（Ｓ１０５）。
【００４７】
台詞音声信号のエンベロープ信号のレベルＹｎから乗算器１１ｃの係数ｋｚを生成する図６（ｂ）に示すアルゴリズムを説明する。最初に、予め設定した最小レベル値Ｙｍｉｎをレジスタ値Ｙｐに代入し、また、係数ｋｚを０に初期化する（Ｓ２０１）。エンベロープ信号のレベルＹｎが入力される（Ｓ２０２）と、レベルＹｎがレジスタ値Ｙｐ以上の場合には（Ｓ２０３：Ｙｅｓ）、レジスタ値ＹｐにレベルＹｎを代入して（Ｓ２０４）次のステップ（Ｓ２０８）に進む。一方、レベルＹｎがレジスタ値Ｙｐよりも小さい場合には（Ｓ２０３：Ｎｏ）、レジスタ値Ｙｐに係数０．９を乗算した値を新たなレジスタ値Ｙｐとして（Ｓ２０５）、このレジスタ値Ｙｐが最小レベル値Ｙｍｉｎ以下である場合（Ｓ２０６：Ｙｅｓ）には、最小レベル値Ｙｍｉｎをレジスタ値Ｙｐに代入し（Ｓ２０７）次のステップ（Ｓ２０８）に進む。また、レジスタ値Ｙｐが最小レベル値Ｙｍｉｎよりも大きい場合（Ｓ２０６：Ｎｏ）には、次のステップ（Ｓ２０８）に進む
【００４８】
次に、レジスタ値Ｙｐが予め設定した最大レベル値Ｙｍａｘ以上である場合には（Ｓ２０８：Ｙｅｓ）、最大レベル値Ｙｍａｘをレジスタ値Ｙｐに代入し、また、係数ｋｚを１に設定する（Ｓ２０９）。一方、レジスタ値Ｙｐが予め設定した最大レベル値Ｙｍａｘよりも小さい値である場合には（Ｓ２０８：Ｎｏ）、最小レベル値Ｙｍｉｎとレジスタ値Ｙｐが等しければ（Ｓ２１０：Ｙｅｓ）、係数ｋｚを０に設定する（Ｓ２１１）。また、最小レベル値Ｙｍｉｎとレジスタ値Ｙｐが等しくなければ（Ｓ２１０：Ｎｏ）、（Ｙｐ−Ｙｍｉｎ）／（Ｙｍａｘ−Ｙｍｉｎ）を計算してこれを係数ｋｚに設定する（Ｓ２１２）。最後に次のエンベロープ信号のレベルＹｎが入力されるのに合わせて、整数ｎをインクリメントする（Ｓ２１３）。
【００４９】
以上のように、前方中央信号Ｃに含まれる台詞音声のエンベロープ信号のレベルＹｎを求めて、そのレベルＹｎによって乗算器１１ｃの係数ｋｚを制御することができる。このようにして、レベルＹｎに応じて係数ｋｚは、０〜１の間で緩やかに変化する。乗算器１１ｃの係数ｋｚを制御するアルゴリズムは、上記に限られるわけではなく、エンベロープ信号のレベルＹｎの変動に合わせて相対的に係数ｋｚを変化させるものであればよい。実質的に人の音声の変動を検出して台詞音声を週出することができるので、他の音声との定位の差異により、受聴者２にとっての明瞭度を顕著に上昇させることができる。
【００５０】
なお、この台詞音声を検出する適応処理は、フィルタの周波数が低くて時定数が長く、台詞音声であるかどうかの検出にはある程度時間を要する。したがって、前方中央信号Ｃの台詞抽出回路１１の台詞検出回路１１ｂにおいて、台詞検出に要する時間（例えば、０．５秒程度。）だけ、マルチチャンネル音声の各信号経路に遅延（ディレイ）回路ＴＤを設けることが好ましい。マルチチャンネル音声が映像を伴う場合には、映像信号にも同様な遅延を施すのが更に好ましい。台詞抽出回路１１では、帯域通過フィルタ（ＢＰＦ）１１ａの出力と乗算器１１ｃとの間に遅延（ディレイ）回路ＴＤを設けている。マルチチャンネル音声間の同期が維持されるので、受聴者２には、良好なマルチチャンネル音場の再生が可能になる。
【００５１】
台詞除去回路１６は、台詞抽出信号Ｃｄ０に係数（−１）を乗算してその位相を反転する乗算器１６ａと、前方中央信号Ｃから台詞抽出信号Ｃｄ０を減算して台詞除去前方中央信号Ｃｆ０を生成する加算器１６ｂと、台詞除去前方中央信号Ｃｆ０に係数ｋｃ１を乗算する乗算器１６ｃとを含み、さらに、台詞除去前方中央信号Ｃｆ０に係数ｋｃ２を乗算する乗算器１６ｄを含む。本実施例では、係数ｋｃ１を０として、加算器１５へ台詞除去前方中央信号Ｃｆ０を入力せず、そして、係数ｋｃ２を１として、台詞除去前方中央信号Ｃｆ０を出力信号Ｃｖとして出力している。
【００５２】
マルチチャンネル音声再生装置３のＤＳＰ１０は、先の実施例の場合と同様に、サラウンド左信号ＳＬ、および、サラウンド右信号ＳＲを、ＤＳＰ１０のクロストーク付与回路１７へ入力する。クロストーク付与回路１７のラティス型フィルタの出力ｖｓ１ならびにｖｓ２は、それぞれ乗算器１９ａおよび１９ｂと、遅延（ディレイ）回路ＴＤとを経て、加算器１８に入力される。ただし、本実施例では、サラウンド左信号ＳＬ、および、サラウンド右信号ＳＲは、クロストーク付与回路１７に入力される前に分岐されて、それぞれ乗算器１９ｃおよび１９ｄと、遅延（ディレイ）回路ＴＤとを経て、出力信号ＳｌおよびＳｒとして出力される。したがって、乗算器１９ａおよび１９ｂの係数ｋｓ１を０として、一方、乗算器１９ｃおよび１９ｄの係数ｋｓ２を１とすることで、サラウンド左信号ＳＬ、および、サラウンド右信号ＳＲは、クロストーク付与処理とクロストークキャンセル処理からなるバーチャルサラウンド処理を施さないで、そのままサラウンド左スピーカーＳＬｓｐ、および、サラウンド右スピーカーＳＲｓｐに出力される。
【００５３】
出力信号Ｃｖは、増幅されて前方中央スピーカーＣｓｐから再生されるので、台詞音声を除いた前方中央信号Ｃの音声、つまり、本来に受聴者２の前方に定位すべき音声が、受聴者２の前方から再生される。また、出力信号ＳｌおよびＳｒは、サラウンド左スピーカーＳＬｓｐ、および、サラウンド右スピーカーＳＲｓｐから出力され、サラウンド音声が、受聴者２の両側方から再生される。したがって、マルチチャンネル音声再生装置１は、受聴者２には、前方スピーカーならびにサラウンドスピーカーから再生されるサラウンド音場のなかで、先の実施例で示した図３（ａ）〜（ｄ）のように、強調された台詞音声だけが受聴者２の両耳の耳介の近傍から再生されるように感じさせる一方で、台詞以外の音声を受聴者２の周囲に定位させるので、受聴者２は、定位感が異なっている台詞音声に関する明瞭度を改善することができる。
【００５４】
本実施例では、台詞音声のエンベロープ信号に基づいて抽出した台詞音声のみについてクロストークキャンセル処理を行うので、信号の加算が最小限にできるので、信号の加算によるダイナミックレンジの低下を抑制できる。もちろん、本実施例においても、先の実施例のように、台詞除去前方中央信号Ｃｆ０を前方左スピーカーＬｓｐおよび前方右スピーカーＲｓｐから同位相同レベルで再生してもよい。また、サラウンド左信号ＳＬ、および、サラウンド右信号ＳＲにバーチャルサラウンド処理を施して、前方左スピーカーＬｓｐおよび前方右スピーカーＲｓｐから出力しても良い。
【００５５】
また、マルチチャンネル音声再生装置１または３は、ＤＳＰ１０のデコード回路１１が出力するマルチチャンネル音声が、いわゆる７．１チャンネルである場合には、さらに含むサラウンド後方左信号ならびにサラウンド後方右信号に、他の仮想到来角度の伝達関数に基づく両耳間クロストークを付与するクロストーク付与回路を設けて、その出力をクロストークキャンセル回路に入力しても良い。
【００５６】
さらに、本実施例のマルチチャンネル音声再生装置１または３の選択入力回路１３は、台詞強調信号Ｃｅ０に対して係数ｋｅ１ならびにｋｅ２をそれぞれ乗算する乗算器１３ａおよび１３ｂを含み、係数ｋｅ１ならびにｋｅ２は、１、０、−１の値の他にも、他の組み合わせであって時間的に変動する係数であっても良い。係数ｋｅ１ならびにｋｅ２の組み合わせが、時間的に変動することで、強調された台詞音声が受聴者２の両耳の耳介の近傍から再生され、かつ、移動するように感じさせるので、移動しない他の音声との差異が明確になり、結果として台詞音声を明瞭にすることができる。
【産業上の利用可能性】
【００５７】
本発明のマルチチャンネル音声再生装置は、上記実施例に限られず、ＭＰＥＧ−２／ＡＡＣといったマルチチャンネル音声信号フォーマットを伝送するＡＶレシーバーや、ディスク再生装置といったマルチチャンネル音声信号再生装置にも適する。
【図面の簡単な説明】
【００５８】
【図１】本発明の好ましい実施形態によるマルチチャンネル音声再生装置１について説明する図である。（実施例１）
【図２】マルチチャンネル音声再生装置１が再生するサラウンド音場における前方スピーカーの配置、ならびに、受聴者２の頭部伝達関数ＨＲＴＦを説明する図である。（実施例１）
【図３】マルチチャンネル音声再生装置１によって受聴者２が得る台詞音声の定位感について説明する図である。（実施例１、２）
【図４】本発明の好ましい実施形態によるマルチチャンネル音声再生装置３について説明する図である。（実施例２）
【図５】マルチチャンネル音声再生装置３が再生するサラウンド音場における前方スピーカーの配置、ならびに、受聴者２の頭部伝達関数ＨＲＴＦを説明する図である。（実施例２）
【図６】マルチチャンネル音声再生装置３の台詞検出回路１１ｂを説明する図である。（実施例２）
【符号の説明】
【００５９】
１            マルチチャンネル音声再生装置
２            受聴者
３            マルチチャンネル音声再生装置
１０          ＤＳＰ
１１          台詞抽出回路
１２          台詞強調回路
１３          乗算器
１４          クロストークキャンセル回路
１５          加算器
１６          台詞除去回路
１７          クロストーク付与回路
１８          加算器
１９          乗算器
【図１】
2008301427.tif 000003
【図２】
2008301427.tif 000004
【図３】
2008301427.tif 000005
【図４】
2008301427.tif 000006
【図５】
2008301427.tif 000007
【図６】
2008301427.tif 000008